(57)【要約】【課題】シートの捩れを防止し法面に対して密着して敷設することができる自然石固着シートを提供する。【解決手段】一側縁に支持棒５が設けられた網目シート２と、網目シート２の両面に塗布された接着剤４を介して網目シート２の一面に自然石３が固着されている。【選択図】図７
2005344479.tif 000002
【特許請求の範囲】
【請求項１】
一側縁に支持棒が設けられた網目シートと、
上記網目シートの両面に塗布された接着剤を介して上記網目シートの一面に自然石が固着されている自然石固着シート。
【請求項２】
上記網目シートは略矩形状に設けられ、相対向する一側縁及び他側縁に上記支持棒が設けられていることを特徴とする請求項１記載の自然石固着シート。
【請求項３】
上記網目シートは、上記支持棒を挿脱自在に支持する支持孔が形成されていることを特徴とする請求項１又は２記載の自然石固着シート。
【請求項４】
上記支持棒が設けられた一側縁に係止部材が設けられていることを特徴とする請求項１乃至３記載の自然石固着シート。
【請求項５】
一側縁に支持棒を挿脱自在に支持する支持孔が形成された網目シートと、
上記網目シートの両面に塗布された接着剤を介して上記網目シートの一面に自然石が固着されている自然石固着シート。
【請求項６】
少なくとも一側縁に支持棒が挿脱自在に設けられた網目シートの両面に塗布された接着剤を介して自然石が固着されている自然石固着シートを、上記支持棒を係止することにより吊り上げ、敷設面に載置し、
上記自然石固着シートを敷設面に係止させ、
上記支持棒を抜去する自然石固着シートの敷設方法。
【発明の詳細な説明】
【技術分野】
【０００１】
本発明は、護岸、道路法面保護や景観装飾等に用いられる土木材料に関し、特にメッシュや金網等の網目状シートに自然石が固着された自然石固着シート及びその敷設方法に関する。
【背景技術】
【０００２】
従来より、護岸、道路法面保護や景観装飾等に用いられる自然石固着シートには、金網又はメッシュからなるシートにモルタルを塗布し、その上に自然石を配設して形成されたものがある。金網等のシートは可撓性を有しているため、河岸等の法面に敷設された場合にも、法面の凹凸形状に容易に密着し、自然な勾配の護岸を造成することができる。
【０００３】
【特許文献１】特開平１１−３０３０８５号公報
【発明の開示】
【発明が解決しようとする課題】
【０００４】
この自然石固着シートは、敷設現場に搬送された後、クレーンでシートの両端を把持されて吊された後、自然石が上側となるように法面に沿って載置される。次いで、シートの端部をアンカー等の係止部材によって法面に係止される。
【０００５】
しかし、シートは可撓性を有するとともに、この可撓性シートの一面側のみに自然石が固着されていることから、自然石固着シートがクレーンで吊されると、シートに捩れが発生してしまう。そして、自然石固着シートを法面に載置される際に、シートに捩れ等が発生していると、法面に対してシートを密着させて載置することができず、捩れの修復等を人手により行う等、敷設工程が煩雑化してしまう。またシートが捩れることにより、シートに固着された自然石及び自然石をシートに固着させているモルタルに負荷が掛かり、自然石が落下する等の破損が発生するおそれがある。
【０００６】
そこで、本発明は、シートの捩れを防止し法面に対して効率よく敷設することができる自然石固着シート及び自然石固着シートの敷設方法を提供することを目的とする。
【課題を解決するための手段】
【０００７】
上述した課題を解決するために、本発明にかかる自然石固着シートは、一側縁に支持棒が設けられた網目シートと、上記網目シートの両面に塗布された接着剤を介して上記網目シートの一面に自然石が固着されているものである。
【０００８】
また、本発明にかかる自然石固着シートは、一側縁に支持棒を挿脱自在に支持する支持孔が形成された網目シートと、上記網目シートの両面に塗布された接着剤を介して上記網目シートの一面に自然石が固着されているものである。
【０００９】
また、本発明にかかる自然石固着シートの敷設方法は、少なくとも一側縁に支持棒が挿脱自在に設けられた網目シートの両面に塗布された接着剤を介して自然石が固着されている自然石固着シートを、上記支持棒を係止することにより吊り上げ、敷設面に載置し、上記自然石固着シートを敷設面に係止させ、上記支持棒を抜去するものである。
【発明の効果】
【００１０】
このような自然石固着シート及び自然石固着シートの敷設方法によれば、クレーン等によって吊り上げられる長手方向の少なくとも一端に支持棒があてがわれていることにより、吊り上げられたときに網目シートに捩れが発生することを防止することができる。
【００１１】
また、敷設後、支持棒を抜去することにより、再度自然石固着シートを製造する際に、この支持棒を再利用することができる。
【発明を実施するための最良の形態】
【００１２】
以下、本発明が適用された自然石固着シート及び自然石固着シートの敷設方法について図面を参照しながら詳細に説明する。この自然石固着シート１は、図１及び図２に示すように、網目状のシート２と、この網目状のシート２の一面に接着剤４を介して固着された自然石３とを備える。
【００１３】
この網目状のシート２は、自然石３が複数固着されると共に、この自然石３が固着された状態でクレーンで吊り上げるに十分な強度を有する金網や合成樹脂製のメッシュ等からなる。またシート２は、可撓性を有し、河岸等の法面に敷設された場合にも、法面の凹凸形状に容易に密着し、自然な勾配の護岸を造成することができる。
【００１４】
また、シート２は略矩形状に形成され、少なくとも長手方向の一端側２ａに自然石固着シート１の敷設時にシート２の捩れを防止する支持棒５を挿通支持する支持孔６が形成されている。支持孔６は、シート２の長手方向の一端２ａ側の側縁部に沿って形成されている。この支持孔６に挿通支持される支持棒５は、中空円筒状に形成された鉄やアルミニウム等の金属材料が用いられる。なお、シート２は、図３に示すように、支持孔６によって支持棒５を支持する他、一端２ａ側の側縁部に沿って支持棒５をあてがい、プラスチックの紐や金属製のワイヤー等で支持棒５をシート２に結び付けて支持するようにしてもよい。
【００１５】
また、シート２は、支持孔６が設けられた一端側２ａにクレーンに係止されるフック部材７が設けられている。フック部材７は、例えば略Ｕ字状に湾曲された線材が用いられ、円弧状に湾曲されクレーン側に設けられたフックに係止される係止部７ａと、略鉤状に湾曲され係止部７ａがクレーンに吊り下げられることによりシート２の一端２ａ側に支持されている支持棒５と係合する係合部７ｂが形成されている。
【００１６】
シート２は、このフック部材７がクレーンに係止されることによって吊り上げられると、係合部７ｂが支持棒５と係合し、この支持棒５が吊り上げられることにより支持棒５と共に吊り上げられる。したがってシート２は、クレーンによって吊り上げられる長手方向の一端２ａ側に支持棒５があてがわれているため、吊り上げられたときの捩れを防止することができる。
【００１７】
このシート２に自然石３を固着させる接着剤４は、例えばセメントモルタル材、セメント系モルタル結合材を用いる。
【００１８】
モルタル結合材には、セメント系モルタル結合材、セラミック系モルタル結合材、石膏系系モルタル結合材、あるいはレジンモルタルなどの各種モルタル結合材を用いることができる。
【００１９】
セメント系モルタル結合材は、セメント（ポルトランドセメント、アルミナセメント、アーウィン系セメント等）、砂（フライアッシュ、川砂、海砂、珪砂、石灰石等）、そして水を主成分とし、これに適宜、流動化材（ナフタリン酸系、メラミンスルホン酸系、ポリカルボン酸系、アミノスルホン酸系、リグニンスルホン酸系、カゼイン類等）、硫酸塩（硫酸カリウム、硫酸ナトリウム、硫酸アルミニウム等）、リン酸塩（縮合リン酸塩等）、増粘剤（ポリアクリル酸、ヒドロキシエチルセルロース、メチルセルロース等）、消泡剤（シリコン系、非イオン系界面活性剤等）などを配合したものである。
【００２０】
また、セラミック系モルタル結合材は、上記セメント系モルタル結合材の砂の一部を、酸化アルミニウム、酸化鉄、酸化チタン、炭化珪素等で置き換えた組成を有する。また、石膏系モルタル結合材は、上記セメント系モルタル結合材のセメントの一部又は全部を石膏で置き換えた組成を有する。
【００２１】
なお、本発明における網目状のシート２には、例えばインターフォースＩＧ（株式会社田中製）を用いることができる。以下の表１にインターフォースＩＧの試験結果を示す。
【００２２】
【表１】
2005344479.tif 000003
【００２３】
また本発明における接着剤４には、例えばアーマ５２０（三菱マテリアル株式会社製）を用いることができる。以下の表２にアーマ５２０の試験結果を示す。
【００２４】
【表２】
2005344479.tif 000004
【００２５】
次いで、自然石固着シート１の製造工程について説明する。
【００２６】
先ず、図４に示すように、作業台１０上に接着剤４を自然石３の配置個所に対応した位置へ配置させていく。次いで、図５に示すように、接着剤４の上からシート２を被せ、さらに図６に示すように、シート２の上から自然石３の配置個所に対応した位置へ接着剤４を配置させていく。これにより自然石３の接合強度を向上させることができる。次いで、接着剤４の上に自然石３を載置し、上から押圧することにより圧着させる。
【００２７】
自然石３の圧着後は、必要に応じて風や直射日光を避けるため養生シートを被せる。その後、接着剤４が硬化することにより自然石３がシート２に強固に固着されて自然石固着シート１が完成する。
【００２８】
次いで、自然石固着シート１の敷設工程について説明する。
【００２９】
自然石固着シート１は、河岸等の敷設箇所へ搬送されると、図７に示すように、シート２の側縁部に設けられたフック部材７の係止部７ａがクレーンのフックに係止されることにより吊り上げられる。このとき、自然石固着シート１は、フック部材７の係合部７ｂが側縁部に設けられた支持棒５と係合され、この支持棒５とともに吊り上げられる。したがって、自然石固着シート１は、クレーンによって吊り上げられる長手方向の一端に支持棒５があてがわれていることにより、吊り上げられたときにシート２に捩れが発生することを防止することができる。また、クレーンに吊り上げられる長手方向の一端と反対側の他端にも支持棒５を設けた場合には、シート２の他端側の捩れを防止するとともに、河岸等の法面に自然石固着シート１を載置する際の位置決めが容易となり、敷設作業を効率よく行うことができる。
【００３０】
次いで、自然石固着シート１を敷設位置に載置すると、シート２の長手方向の両端側をアンカー等の係止部材によって法面に固定する。次いで、シート２の支持孔６に挿通支持され、またワイヤー等でシート２に結び付けられている支持棒５を抜き取る。抜き取られた支持棒５は、再度自然石固着シート１を製造する際に再利用することができる。
【産業上の利用可能性】
【００３１】
以上、本発明が適用された自然石固着シート１について説明したが、本発明にかかる自然石固着シート１において、上記支持棒５は金属の他、プラスチックや木材等、剛性を有するものであればその材料は問わない。
【００３２】
また、シート２に固着される石は、自然石３以外にも、人工石、陶器や磁器等から作られた化粧用タイル、コンクリート成型品等を用いることができる。
【００３３】
また、支持棒５をシート２の長手方向の両端側の側縁部に沿って形成すると共に、これら支持棒５と係合されるフック部材７をシート２の長手方向の両端側に設け、敷設時にはクレーンによってシート２の長手方向の両端側を把持して吊り上げるようにしてもよい。
【図面の簡単な説明】
【００３４】
【図１】本発明が適用された自然石固着シートを示す斜視図である。
【図２】本発明が適用された自然石固着シートを示す断面図である。
【図３】フック部材を示す斜視図である。
【図４】本発明が適用された自然石固着シートの製造工程を示す斜視図である。
【図５】本発明が適用された自然石固着シートの製造工程を示す斜視図である。
【図６】本発明が適用された自然石固着シートの製造工程を示す斜視図である。
【図７】本発明が適用された自然石固着シートの敷設工程を示す斜視図である。
【符号の説明】
【００３５】
１  自然石固着シート、２  網目状シート、３  自然石、４  接着剤、５  支持棒、６  支持孔、７  フック部材、１０  作業台
【図１】
2005344479.tif 000005
【図２】
2005344479.tif 000006
【図３】
2005344479.tif 000007
【図４】
2005344479.tif 000008
【図５】
2005344479.tif 000009
【図６】
2005344479.tif 000010
【図７】
2005344479.tif 000011